(57)【特許請求の範囲】
【請求項１】
電気かみそりのヘッド部を入れる洗浄槽と前記洗浄槽に形成された排出口および供給口を流路の一部として洗浄液を循環させる電動式のポンプを有する本体部と、前記本体部の上側から延設されるとともに前記電気かみそりを給電可能に接続する接続部と、前記本体部に収容されるとともに前記ポンプの吸込口を入れる洗浄容器と、前記洗浄容器の容器部に取付けられるとともに前記流路の一部として前記洗浄液を濾過するフィルタ部を有する構成であって、
前記フィルタ部は、前記排出口に近い上側位置から下向き傾斜しているとともに前記洗浄液のうち前記排出口からの第１液を下方に濾過可能な第１メッシュが第１枠に配された第１フィルタと、前記第１液のうち前記第１フィルタの上を流れた後に前記洗浄容器の底部側に導かれた第２液を上方に濾過可能な第２メッシュが第２枠に配された第２フィルタを有する構成であること
を特徴とする洗浄器。
【請求項２】
前記フィルタ部は筒状の導液部を有し、前記導液部の上側が前記第１フィルタに連結されているとともに前記導液部の下側が前記第２フィルタに連結されている構成であること
を特徴とする請求項１記載の洗浄器。
【請求項３】
前記第１枠は前記導液部に向かって下向き傾斜しているとともに、左右から中央に向かって下向きに湾曲している構成または左右から中央に向かって下向きに傾斜している構成であること
を特徴とする請求項２記載の洗浄器。
【請求項４】
前記第２フィルタは前記第２枠が上側に形成されているとともに前記第２枠から下向きに側壁部が形成されている構成であること
を特徴とする請求項１〜３のいずれか一項記載の洗浄器。
【請求項５】
前記容器部は前記フィルタ部が取付けられる第１エリアと前記吸込口が配される第２エリアを有しており、
前記容器部の内側底面に前記フィルタ部を位置決めする突起が形成されている構成であること
を特徴とする請求項１〜４のいずれか一項記載の洗浄器。
【発明の詳細な説明】
【技術分野】
【０００１】
本発明は、電気かみそりを洗浄する洗浄器に関する。
【背景技術】
【０００２】
電気かみそりのヘッド部に付着したヒゲくずや皮脂等の汚れを、洗浄液を循環させて除去する洗浄器が知られている。従来、容器と別体のフィルタ枠に、容器の底面との間にヒゲくずを堆積し易くするための底部空間を形成する第２の底板を配した構成が知られている（特許文献１：特開２０１３−２３０２１８号公報）。また従来、容器と別体のフィルタ枠に、メッシュフィルタを通過した液とメッシュフィルタに沿って流れる液の流れ方向を互いに反対にして液経路を長くするための仕切り壁を配した構成が知られている（特許文献２：特開２０１３−２３０２１９号公報）。本明細書では、メッシュフィルタをメッシュとして以下に説明する。
【先行技術文献】
【特許文献】
【０００３】
【特許文献１】特開２０１３−２３０２１８号公報
【特許文献２】特開２０１３−２３０２１９号公報
【発明の概要】
【発明が解決しようとする課題】
【０００４】
特許文献１および特許文献２に例示の洗浄器は、フィルタ枠における分流部に配されたメッシュにて洗浄液を濾過する構造上、分流部に形成された枠の上を一部の洗浄液が流れて落下するので一部のヒゲくずも流れて落下する。そして、落下したヒゲくずの一部は第２の底板と容器の底面との隙間から洗浄液とともにポンプにて吸い上げられて洗浄槽に供給される。そのため、一部のヒゲくずは電気かみそりのヘッド部に再度付着することがあった。その結果、ヘッド部を洗浄したときの仕上がり状態が必ずしも綺麗に仕上がらないという問題点を有している。
【課題を解決するための手段】
【０００５】
本発明は、上記事情に鑑みてなされ、洗浄液の流路における複数の要所にメッシュを配設することで従来よりもヒゲくずの捕獲能力を大幅に向上させて、電気かみそりのヘッド部をより綺麗に仕上げることが可能な構成の洗浄器を提供することを目的とする。
【０００６】
一実施形態として、以下に開示する解決策により、前記課題を解決する。
【０００７】
本発明に係る洗浄器は、電気かみそりのヘッド部を入れる洗浄槽と前記洗浄槽に形成された排出口および供給口を流路の一部として洗浄液を循環させる電動式のポンプを有する本体部と、前記本体部の上側から延設されるとともに前記電気かみそりを給電可能に接続する接続部と、前記本体部に収容されるとともに前記ポンプの吸込口を入れる洗浄容器と、前記洗浄容器の容器部に取付けられるとともに前記流路の一部として前記洗浄液を濾過するフィルタ部を有する構成であって、前記フィルタ部は、前記排出口に近い上側位置から下向き傾斜しているとともに前記洗浄液のうち前記排出口からの第１液を下方に濾過可能な第１メッシュが第１枠に配された第１フィルタと、前記第１液のうち前記第１フィルタの上を流れた後に前記洗浄容器の底部側に導かれた第２液を上方に濾過可能な第２メッシュが第２枠に配された第２フィルタを有する構成であることを特徴とする。
【０００８】
この構成によれば、洗浄液の流路におけるヒゲくずを捕獲するための複数の要所である容器部の上側位置および下側位置に配されたメッシュによって、従来よりもヒゲくずの捕獲能力を大幅に向上させることができる。つまり、洗浄液の複数の流れにそれぞれ対応した複数のフィルタによってヒゲくずをより確実に捕獲できるので、電気かみそりのヘッド部をより綺麗に仕上げることができる。ここで、メッシュは、フィルタ部における濾過機能を有する構成部材であり、メッシュフィルタと同義である。
【０００９】
前記フィルタ部は筒状の導液部を有し、前記導液部の上側が前記第１フィルタに連結されているとともに前記導液部の下側が前記第２フィルタに連結されている構成であることが好ましい。この構成によれば、フィルタ部の入口に設けた第１フィルタとフィルタ部の出口に設けた第２フィルタとでヒゲくずをより確実に捕獲できる。尚且つ、前記フィルタ部を着脱容易に前記洗浄容器に取り付けられる構成にしたので、フィルタ部を洗浄容器から取り出すことが容易にできて、ヒゲくずが捕獲されたフィルタ部のクリーニングが容易にできる。クリーニングは一例として水洗いである。
【００１０】
前記第１枠は前記導液部に向かって下向き傾斜しているとともに、左右から中央に向かって下向きに湾曲している構成または左右から中央に向かって下向きに傾斜している構成であることが好ましい。この構成によれば、上流側の第１メッシュを伝った洗浄液は、下向き傾斜する中央部に合流しつつヒゲくずとともに導液部に流下し、流下したヒゲくずは下流側の第２メッシュに捕獲される。よって、フィルタ部における上流側から下流側に至る洗浄液の流れが円滑になるとともに下流の第２メッシュにてヒゲくずをより確実に捕獲できる。
【００１１】
前記第２フィルタは前記第２枠が上側に形成されているとともに前記第２枠から下向きに側壁部が形成されている構成であることが好ましい。この構成によれば、捕獲したヒゲくずを第２フィルタに留めることがより確実にできる。一例として、吸込口が配されている高さ位置は第２メッシュが配されている高さ位置よりも低い位置に配されている構成である。この構成によって、少量の洗浄液であっても洗浄器を作動できるので洗浄液が有効利用できる。一例として、第２メッシュは吸込口が配されているエリアに向かって下向きに湾曲している構成または吸込口が配されているエリアに向かって下向きに傾斜している構成である。この構成によって、フィルタ部の下流側から吸込口に至る洗浄液の流れが円滑になる。
【００１２】
前記容器部は前記フィルタ部が取付けられる第１エリアと前記吸込口が配される第２エリアを有しており、前記容器部の内側底面に前記フィルタ部を位置決めする突起が形成されている構成であることが好ましい。この構成によれば、フィルタ部を突起にて位置決めすることで、フィルタ部が容器部により安定して取り付けられるとともに、容器部の内側底面付近からヒゲくずが漏れ出る虞がないのでヒゲくずをより確実に捕獲できる。一例として、前記突起は前記第２フィルタにおける前記側壁部の下端および前記導液部の下端を前記容器部の内壁とで囲むように配されており、平面視でＬ字形状のリブまたは平面視でＬ字形状の梁になっている。一例として、前記突起は前記第１エリアと前記第２エリアとを仕切るように配されており、平面視でＩ字形状の梁になっている。これにより、フィルタ部の下端を所定形状の突起に嵌め合わせて位置決めするとともに、捕獲したヒゲくずをフィルタ部の下側に閉じ込めることが容易にできる。
【発明の効果】
【００１３】
本発明によれば、洗浄液の流路における複数の要所にメッシュを配設することで従来よりもヒゲくずの捕獲能力を大幅に向上させることができて、電気かみそりのヘッド部をより綺麗に仕上げることが可能な構成の洗浄器が実現する。
【図面の簡単な説明】
【００１４】
【図１】図１は本発明の実施形態に係る洗浄器を示す概略の斜視図である。
【図２】図２は図１の洗浄器における内部構造を省略したII−II線断面図である。
【図３】図３は図１の洗浄器における内部構造を省略したIII−III線断面図である。
【図４】図４は図１の洗浄器に電気かみそりを取り付けた状態を示す概略の斜視図である。
【図５】図５は図１の洗浄器において洗浄容器を取出可能にした状態を示す概略の斜視図である。
【図６】図６は図１の洗浄器において洗浄容器を取出した状態を斜め下方から視た概略の斜視図である。
【図７】図７Ａは図１の洗浄器における洗浄容器の第１例を示す概略の斜視図であり、図７Ｂは第１例の洗浄容器におけるフィルタ部を示す概略の斜視図であり、図７Ｃは第１例の洗浄容器における容器部を示す概略の斜視図である。
【図８】図８は第１例の洗浄容器を示す概略の平面図である。
【図９】図９は第１例の洗浄容器におけるIX−IX線断面図である。
【図１０】図１０は第１例の洗浄容器におけるX−X線断面図である。
【図１１】図１１Ａは第１例の洗浄容器におけるフィルタ部の他の例１を示す概略の斜視図であり、図１１Ｂは第１例の洗浄容器におけるフィルタ部の他の例２を示す概略の斜視図であり、図１１Ｃは第１例の洗浄容器におけるフィルタ部の他の例３を示す概略の斜視図である。
【図１２】図１２Ａは図１の洗浄器における洗浄容器の第２例を示す概略の斜視図であり、図１２Ｂは第２例の洗浄容器におけるフィルタ部を示す概略の斜視図であり、図１２Ｃは第２例の洗浄容器をさらに上方から視た概略の斜視図である。
【図１３】図１３は第２例の洗浄容器を示す概略の平面図である。
【発明を実施するための形態】
【００１５】
以下、図面を参照して、本発明の実施形態について詳しく説明する。本実施形態の洗浄器１は、一例として、内刃が往復する構造のヘッド部を有する電気かみそり２０を洗浄する電気機器である。図１〜図６に示すように、洗浄器１は、電気かみそり２０のヘッド部を入れる洗浄槽３と、洗浄槽３に形成された排出口３ｂおよび供給口３ａを流路の一部として洗浄液９を循環させる電動式のポンプ４を有する本体部２を備える。また洗浄器１は、本体部２の上側から柱状に延設されるとともに電気かみそり２０を給電可能に接続する接続部５と、本体部２に収容されるとともにポンプ４の吸込口４ａを入れる洗浄容器６を備える。そして洗浄器１は、洗浄容器６の容器部８に取付けられるとともに前記流路の一部として洗浄液９を濾過するフィルタ部７を有する構成である。ここでは、洗浄器１の各部の位置関係を説明し易くするため、図中にＸ，Ｙ，Ｚの矢印で向きを示している。なお、実施形態を説明するための全図において、同一の機能を有する部材には同一の符号を付し、その繰り返しの説明は省略する場合がある。
【００１６】
図１に示すように、本体部２は、一例として手前側に、動作モードを示すインジケータ２ｅと、動作のコースを選択する選択ボタン２ｄが配されている。使用者は、洗浄液９を洗浄容器６にセットして電気かみそり２０を取り付けた後、選択ボタン２ｄを押して動作のコースを選択する。選択ボタン２ｄからの入力信号によって本体部２に内蔵された制御回路が洗浄動作と乾燥動作と充電動作との組み合わせを設定する。動作のコースとしては、例えば、洗浄および乾燥および充電の全自動コース、乾燥および充電のコース、充電のみのコースがある。
【００１７】
図２は図１の洗浄器１における内部構造を省略したII−II線断面図である。洗浄槽３は、電気かみそり２０のヘッド部に対応させた凹曲面形状を呈しており、当該ヘッド部の根元側に対応するＸ方向矢印側の内壁面に洗浄液９の供給口３ａが形成されており、当該ヘッド部の先端側に対応するＸ方向矢印と反対側の内壁面に洗浄液９の排出口３ｂが複数形成されている。図２の例では、洗浄槽３は、電気かみそり２０のヘッド部の根元側に対応する右側の内壁面に洗浄液９の供給口３ａが形成されており、当該ヘッド部の先端側に対応する左側の内壁面に洗浄液９の第１排出口３ｂ１と第２排出口３ｂ２が前後方向に所定間隔で形成されている。この構成によれば、洗浄容器６からポンプ４にて吸い上げられた洗浄液９は、供給口３ａから供給されて、往復式の電気かみそり２０におけるヘッド部の内側を通過した後、当該ヘッド部の前後に分かれて第１排出口３ｂ１と第２排出口３ｂ２からヒゲくずや皮脂等の汚れとともに洗浄容器６に落下するので、ヒゲくずや皮脂等の汚れを円滑に洗い流し易い構成になる。洗浄動作では、例えば、電気かみそり２０のヘッド部が所定時間作動し、内刃及び外刃に付着したヒゲくずや皮脂等の汚れを積極的に振り払い、洗浄動作を促進する。洗浄槽３の底部には、シボ加工が施されているので、液体の表面張力を小さくする作用によって、洗浄液９が滑らかに循環し、洗浄効果が向上する。
【００１８】
図３は洗浄器１における内部構造を省略したIII−III線断面図であり、図４は洗浄器１に電気かみそり２０を取り付けた状態を示す概略の斜視図である。電気かみそり２０はヘッド部を下向きにした状態で洗浄される。接続部５は、本体部２の上側から柱状に延設されており、接続部５の頂部に下向きで給電端子５ａが配されている。給電端子５ａは、電気かみそり２０における本体部の下側に配された充電端子と接続可能な形状になっており、適宜、電気かみそり２０に充電する。また、充電に加えて、給電端子５ａから制御信号を電気かみそり２０に送信して、適宜、電気かみそり２０を作動させることもできる。一例として、接続部５を上方向にスライドさせて電気かみそり２０のヘッド部を洗浄槽３に入れた後、接続部５を下方向にスライドさせて給電端子５ａを電気かみそり２０の充電端子に接続させつつ、電気かみそり２０を接続部５にもたれさせて支持する。
【００１９】
図５に示すように、本体部２を引き上げると本体部２に内蔵された洗浄容器６が取出可能になる。図６に示すように、ポンプ４は本体部２の内部にて下向きに突出して配されている。本体部２の両側の内壁面には支持部２ａが配されており、底部２ｃの両側からそれぞれ上方に延設された一対の脚部２ｂが支持部２ａに取り付けられて上下方向にスライド可能に支持されている。一例として、洗浄器１を載置した状態で所定のボタンを押すと所定の係止機構が解除されて本体部２に内蔵されたスプリングの復元力で本体部２が上方向にスライドして洗浄容器６が取出可能になり、そして、洗浄容器６を底部２ｃの上に置いた後、本体部２を上から前記スプリングの復元力に抗して押し下げて当該係止機構にて係止する。スプリングおよび係止機構は既知の構成が適用できる。
【００２０】
続いて、洗浄容器６の第１例について以下に説明する。
【００２１】
（第１例）
図７Ａは洗浄容器６の第１例を示す概略の斜視図である。洗浄容器６は平面視で凸形状の容器部８と、容器部８に着脱可能に取り付けられたフィルタ部７とから構成される。図７Ｂはフィルタ部７を示す概略の斜視図である。フィルタ部７は、第１フィルタ１１と導液部１３と第２フィルタ１２とが連結された一体構造体である。図７Ｃは容器部８を示す概略の斜視図である。図８は洗浄容器６を示す概略の平面図であり、図９は図８の洗浄容器６の正面側からの縦断面図であり、図１０は図８の洗浄容器６の側面側からの縦断面図である。洗浄液９は洗浄槽３から落下して第１フィルタ１１によってヒゲくず等が捕獲されてポンプ４によって吸い上げられて循環する。ここで、図８および図９に示すように、洗浄液９のうち、第１排出口３ｂ１と第２排出口３ｂ２からヒゲくずや皮脂等の汚れとともに洗浄容器６に落下する液を第１液９ａとし、第１液９ａのうち第１フィルタ１１の上を流れて洗浄容器６の底部側に導かれた液を第２液９ｂとして、第２液９ｂのうち第２フィルタ１２にて濾過されて吸込口４ａに向かう清浄な液を第３液９ｃとして以下に説明し、また、第１液９ａのうち第１メッシュ１１ａにて濾過されて落下した後に吸込口４ａに向かう清浄な液を第４液９ｄとして、以下に説明する。
【００２２】
図７Ｂに示すように、フィルタ部７は、排出口３ｂに近い上側位置から導液部１３に向かって下向き傾斜するとともに排出口３ｂから落下する第１液９ａを下方に濾過するための第１メッシュ１１ａが第１枠１１ｅに配された第１フィルタ１１と、第１フィルタ１１の下側に連結されて第１液９ａのうち第１フィルタ１１の上を流れた液を落下させる筒状の導液部１３と、導液部１３の下側に連結されて第１液９ａのうち第１フィルタ１１の上を流れて洗浄容器６の底部側に導かれた第２液９ｂを濾過して第３液９ｃにするための第２メッシュ１２ａが第２枠１２ｅに配された第２フィルタ１２とから構成される。
【００２３】
第１フィルタ１１における第１枠１１ｅは導液部１３に向かって下向き傾斜しているとともに、左右から中央に向かって下向きに湾曲している構成または左右から中央に向かって下向きに傾斜している構成である。この構成によれば、上流側の第１メッシュ１１ａを伝った第１液９ａは、下向き傾斜する中央部に合流しつつヒゲくずとともに導液部１３に流下し、流下したヒゲくずは下流側の第２メッシュ１２ａに捕獲される。よって、フィルタ部７における上流側から下流側に至る洗浄液９の流れが円滑になるとともに下流の第２メッシュ１２ａにてヒゲくずをより確実に捕獲できる。図７Ｂに示す例では、第１枠１１ｅは導液部１３に向かって下向き傾斜しているとともに、左右から中央に向かって下向きに湾曲している。また、図１１Ａに示す例では、第１枠１１ｅは導液部１３に向かって下向き傾斜しているとともに、左右から中央に向かって下向きに傾斜している。
【００２４】
第２フィルタ１２は第２枠１２ｅが上側に形成されているとともに第２枠１２ｅから下向きに側壁部１２ｃが第２枠１２ｅを囲むように形成されている構成である。この構成によれば、捕獲したヒゲくずを第２フィルタ１２に留めることがより確実にできる。一例として、吸込口４ａが配されている高さ位置は第２メッシュ１２ａが配されている高さ位置よりも低い位置に配されている。この構成によって、少量の洗浄液９であっても洗浄器１を作動できるので洗浄液９が有効利用できる。一例として、第２メッシュ１２ａは吸込口４ａが配されている第２エリア８ｂに向かって下向きに湾曲している構成または吸込口４ａが配されている第２エリア８ｂに向かって下向きに傾斜している。この構成によって、フィルタ部７の下流側から吸込口４ａに至る洗浄液９の流れが円滑になる。図１１Ａに示す例では、第２メッシュ１２ａは吸込口４ａが配されている第２エリア８ｂに向かって下向きに傾斜している。また、図１１Ｃに示す例では、第２メッシュ１２ａは吸込口４ａが配されている第２エリア８ｂに向かって下向きに湾曲している。
【００２５】
フィルタ部７の本体は一例としてＡＢＳ、ＰＢＴ、ＰＰＳ、ＰＥＴなどの樹脂成型品からなる。第１メッシュ１１ａと第２メッシュ１２ａは一例としてポリエステル、ポリエチレン、ポリプロピレン、ポリカーボネートなどの樹脂ワイヤ、またはステンレスなどの金属ワイヤからなるメッシュである。メッシュは織物である。またはメッシュは編物である。若しくはメッシュは樹脂成型品である。若しくは、メッシュはパンチングメタルである。ワイヤの直径または厚みは一例として０．０５[ｍｍ]以上かつ０．２[ｍｍ]以下に設定される。また、メッシュの開口は一例として０．０５[ｍｍ]以上かつ０．２[ｍｍ]以下に設定される。ヒゲくずの直径の平均値はおよそ０．１[ｍｍ]であるので、第１メッシュ１１ａと第２メッシュ１２ａ、それぞれによって、ヒゲくずは捕獲される。
【００２６】
図７Ｂおよび図１０に示す例では、第１フィルタ１１は、排出口３ｂに近い上側位置から下向き傾斜する縦桟１１ｂと、縦桟１１ｂに直交しつつ縦桟１１ｂの両側から延設される横桟１１ｃとが形成されている。そして、第１フィルタ１１の上端には、落下した第１液９ａが縦桟１１ｂや横桟１１ｃに当たって跳ね上がることなどによる液の飛散を防止する堰１１ｄが形成されている。一例として、縦桟１１ｂと横桟１１ｃとで格子状になっている。第１メッシュ１１ａは、第１枠１１ｅの上面側に溶着または接着によって取付けられている。上記以外の構成として、縦桟１１ｂと横桟１１ｃと第１メッシュ１１ａとを一体成型することも可能である。また、第１メッシュ１１ａを複数枚設ける場合があり、一枚の第１メッシュ１１ａを設ける場合がある。
【００２７】
一例として、第１メッシュ１１ａの濾過面積は縦桟１１ｂの支持面積よりも大きく設定されており、かつ、縦桟１１ｂの短手方向の幅は横桟１１ｃの短手方向の幅よりも大きく設定されている。これにより、第１メッシュ１１ａによって洗浄液９は濾過されるとともに、ヒゲくずは縦桟１１ｂの上面側に集められて導液部１３に流下し、下流に配された第２メッシュ１２ａに捕獲される。よって、ヒゲくずの流れが円滑になるとともに上流の第１メッシュ１１ａと下流の第２メッシュ１２ａの両方によってヒゲくずをより確実に捕獲できる。
【００２８】
導液部１３は、第１液９ａを落下させて第２フィルタ１２の下側に導液する筒状のガイドになっている。導液部１３の開口部は、四角形状、楕円形状、台形状、三角形状など適宜設定することができる。一例として、導液部１３の開口部は、長方形状である。そして、導液部１３の上端は、第１フィルタ１１との連結側の反対側にて上方に延設されて摘み１３ａが形成されている。これにより、使用者はフィルタ部７を洗浄容器６から取り出すことが容易にできて、ヒゲくずが捕獲されたフィルタ部７のクリーニングが容易にできる。クリーニングは一例として水洗いである。
【００２９】
第２フィルタ１２は、上側に形成された天枠である第２枠１２ｅと、第２枠１２ｅを囲むように下向きに形成された側枠である側壁部１２ｃと、第２枠１２ｅの下面側に溶着または接着によって取付けられた第２メッシュ１２ａとから構成される。第２枠１２ｅは、一例として、格子状の仕切りが形成されている。図７Ｂに示す例では、第２メッシュ１２ａは洗浄容器６の内側底面と平行な平面である。なお、上記以外の構成として、例えば第２メッシュ１２ａと格子状の仕切りを一体成型することも可能である。
【００３０】
容器部８は、角丸で多角形状の貯液タンクであり、内面の上側に給水ライン８ｄが形成されているとともに、内側の底面に突起８ｃが形成されている。使用者は、一例として、給水ライン８ｄまで水を入れる。次に、メーカー指定の洗浄剤を適量入れて、洗浄液９とする。洗浄液９は、上記構成以外に、予め所定の濃度に希釈された洗浄液としてもよい。そして、図１の状態に戻すと、準備作業が完了する。
【００３１】
容器部８は、フィルタ部７が取付けられる第１エリア８ａとポンプ４の吸込口４ａが配される第２エリア８ｂを有する。図７Ｃに示す例では、平面視で第１エリア８ａは第２エリア８ｂよりも大きくなっている。突起８ｃは第２フィルタ１２における側壁部１２ｃの下端および導液部１３の下端を容器部８の内壁とで囲むように配されている。図７Ｃに示す例では、突起８ｃは、平面視でＬ字形状のリブまたは平面視でＬ字形状の梁になっている。この構成により、フィルタ部７を突起８ｃにて位置決めしつつ容器部８に嵌め合わせることができるので、フィルタ部７が容器部８により安定して取り付けられるとともに、容器部８の内側底面付近からヒゲくずが漏れ出る虞がない。よって、第２フィルタ１２にてヒゲくずをより確実に捕獲できる。ポンプ４の吸込口４ａは容器部８の内側底面に近い位置に配されており、一例として、吸込口４ａと容器部８の内側底面との隙間は、１[ｍｍ]以上かつ３[ｍｍ]以下に設定される。
【００３２】
図８に示す例では、吸込口４ａの位置は、第１フィルタ１１よりも第２フィルタ１２に近い位置に配されている。また、排出口３ｂの位置は、第１メッシュ１１ａの上方位置である。したがって、洗浄液９の流れは、第１メッシュ１１ａを通過して落下した後に吸込口４ａに向かう清浄な第４液９ｄの流れと、縦桟１１ｂを伝って流下し導液部１３に導液されて落下してから第２メッシュ１２ａを通過して上昇した後に吸込口４ａに向かう清浄な第３液９ｃの流れの、二系統の流れになり、いずれも濾過された清浄な液である。本実施形態によれば、洗浄液９の二系統の流れにそれぞれ対応した第１フィルタ１１と第２フィルタ１２によってヒゲくずをより確実に捕獲できるので、電気かみそり２０のヘッド部をより綺麗に仕上げることができる。なお、洗浄液９における濾過された液の主な流れは、上記構成に限られず、複数の要所に配設したメッシュに一対一で対応して洗浄液９における複数の濾過された液の主な流れが形成される。
【００３３】
図１１Ａは、フィルタ部７の他の例１を示す概略の斜視図である。第１フィルタ１１における第１メッシュ１１ａの傾斜面は、上述の湾曲形状またはＲ形状の斜面に限られず、図１１Ａに示すように、平らな斜面としてもよい。これにより、ヒゲくずをより円滑に縦桟１１ｂの上面側に集めることが容易にできる。また、第２フィルタ１２における第２メッシュ１２ａは、上述の洗浄容器６の内側底面と平行な平面に限られず、図１１Ａに示すように、吸込口４ａに近い側の高さを低くした平らな斜面としてもよい。これにより、ヒゲくず等を濾過した第３液９ｃをより円滑に吸込口４ａに向かわせることが容易にできる。
【００３４】
図１１Ｂは、フィルタ部７の他の例２を示す概略の斜視図である。第１枠１１ｅに横桟１１ｃが形成されている構成に限られず、図１１Ｂに示すように、横桟１１ｃをなくした構成としてもよい。これにより、第１メッシュ１１ａの濾過面積を大きくすることが容易にできる。また、第１メッシュ１１ａの濾過面積は適宜設定可能である。そして、導液部１３の開口部は、上述の平面視で長方形状の場合に限られず、図１１Ｂに示すように、台形状と三角形状を組み合わせた形状としてもよい。また、導液部１３の開口部の開口面積は適宜設定可能である。
【００３５】
図１１Ｃは、フィルタ部７の他の例３を示す概略の斜視図である。第２フィルタ１２における第２メッシュ１２ａは、上述の洗浄容器６の内側底面と平行な平面や吸込口４ａに近い側の高さを低くした平らな斜面の場合に限られず、図１１Ｃに示すように、吸込口４ａに近い側の高さを低くしつつドーム形状の斜面としてもよい。これにより、ヒゲくず等を捕獲して第２フィルタ１２に閉じ込めることが容易にできる。
【００３６】
続いて、洗浄容器６の第２例について、上述の第１例と異なる点を重点的にして以下に説明する。
【００３７】
（第２例）
図１２Ａと図１２Ｃはいずれも洗浄容器６の第２例を示す概略の斜視図であり、図１２Ｂはフィルタ部７を示す概略の斜視図である。上述の第１例では、第１フィルタ１１と導液部１３と第２フィルタ１２は第１エリア８ａに配されているのに対して、第２例では、第１フィルタ１１は第２エリア８ｂに配されており、導液部１３と第２フィルタ１２は第１エリア８ａに配されている。この構成によれば、導液部１３の容積を拡大することが容易にできるので洗浄液９の流量の適用可能範囲が大きくできる。そして、この構成によれば、洗浄液９のうち、第１フィルタ１１にて濾過された清浄な第４液９ｄは最短距離で吸込口４ａに向かう。尚且つ、導液部１３にて液の進行方向が変わることで液速度は遅くなった状態で第２フィルタ１２にて濾過された清浄な第３液９ｃは吸込口４ａに向かう。第２フィルタ１２の濾過面積は第１フィルタ１１の濾過面積よりも大きくなっており、全体として洗浄液９の循環を高めつつ、第２フィルタ１２にてより確実にヒゲくず等を捕獲するようにしている。本実施形態によれば、洗浄液９の二系統の流れにそれぞれ対応した第１フィルタ１１と第２フィルタ１２によってヒゲくずをより確実に捕獲できるので、電気かみそり２０のヘッド部をより綺麗に仕上げることができる。
【００３８】
上述の実施形態では、洗浄液９の流路における二箇所の要所にメッシュを配設する例を示したが、この構成に限定されず、三箇所以上の要所にメッシュを配設してもよい。一例として、導液部１３の内側に第３メッシュを配することで、三段階のフィルタとしてもよい。
【００３９】
本発明は、以上説明した実施例に限定されることなく、本発明を逸脱しない範囲において種々変更が可能である。
【符号の説明】
【００４０】
１  洗浄器
２  本体部、２ａ  支持部、２ｂ  脚部、２ｃ  底部、２ｄ  選択ボタン、２ｅ  インジケータ
３  洗浄槽、３ａ  供給口、３ｂ  排出口
４  ポンプ、４ａ  吸込口
５  接続部、５ａ  接続端子
６  洗浄容器
７  フィルタ部
８  容器部、８ａ  第１エリア、８ｂ  第２エリア、８ｃ  突起、８ｄ  給水ライン
９  洗浄液、９ａ  第１液、９ｂ  第２液、９ｃ  第３液、９ｄ  第４液
１１  第１フィルタ、１１ａ  第１メッシュ、１１ｂ  縦桟、１１ｃ  横桟、１１ｄ  堰、１１ｅ  第１枠
１２  第２フィルタ、１２ａ  第２メッシュ、１２ｃ  側壁部、１２ｅ  第２枠
１３  導液部、１３ａ  摘み
２０  電気かみそり
【要約】
【課題】洗浄液の流路における複数の要所にメッシュフィルタを配設することで従来よりもヒゲくずの捕獲能力を大幅に向上させて、電気かみそりのヘッド部をより綺麗に仕上げることが可能な構成の洗浄器を提供する。
【解決手段】洗浄器１は、洗浄槽３と電動式のポンプ４を有する本体部２と、電気かみそりを給電可能に接続する接続部５と、本体部２に収容されるとともにポンプ４の吸込口を入れる洗浄容器６と、洗浄容器６の容器部８に取付けられるとともに流路の一部として洗浄液９を濾過するフィルタ部７を備え、フィルタ部７は、下向き傾斜しているとともに液を下方に濾過可能な第１メッシュ１１ａが第１枠１１ｅに配された第１フィルタ１１と、第１フィルタ１１の上を流れた後に洗浄容器６の底部側に導かれた液を上方に濾過可能な第２メッシュ１２ａが第２枠１２ｅに配された第２フィルタ１２を有する構成である。
【選択図】図１【図１】
0006806950.tif 000002
【図２】
0006806950.tif 000003
【図３】
0006806950.tif 000004
【図４】
0006806950.tif 000005
【図５】
0006806950.tif 000006
【図６】
0006806950.tif 000007
【図７】
0006806950.tif 000008
【図８】
0006806950.tif 000009
【図９】
0006806950.tif 000010
【図１０】
0006806950.tif 000011
【図１１】
0006806950.tif 000012
【図１２】
0006806950.tif 000013
【図１３】
0006806950.tif 000014